(57)【要約】【課題】オン状態からスタンバイ状態に切り替えられた場合に、電圧線の電圧が所定の電圧よりも低下することに起因してポップ音が発生するのを抑制することが可能な表示装置を提供する。【解決手段】液晶テレビ１００は、スピーカ１に音声信号を出力するアンプ２と、アンプ２に電圧を供給するための電圧線３と、オン状態の時に電圧線３に第１電圧を供給するとともに、スタンバイ状態の時に電圧線３に第１電圧よりも低い第２電圧を供給する電源回路４と、液晶パネル５に電圧を供給する定電圧回路６と、電圧線３と定電圧回路６との間に、直列に接続されたダイオード１２および１３とを備えている。そして、定電圧回路６は、スタンバイ状態の時に電圧線３に所定の電圧よりも高い第３電圧を供給するように構成されている。【選択図】図１
2010093319.tif 000002
【特許請求の範囲】
【請求項１】
スピーカと、
前記スピーカに音声信号を出力するアンプと、
前記アンプに電圧を供給するための電圧線と、
オン状態の時に前記電圧線に第１電圧を供給するとともに、スタンバイ状態の時に前記電圧線に前記第１電圧よりも低い第２電圧を供給する第１の電源回路と、を備えたスピーカ装置において、
スタンバイ状態の時に前記電圧線に所定の電圧よりも高い第３電圧を供給するための第２の電源回路をさらに備えることを特徴とするスピーカ装置。
【請求項２】
請求項１に記載のスピーカ装置において、
前記電圧線と前記第２の電源回路との間に、直列に接続された２つのダイオードをさらに備えることを特徴とするスピーカ装置。
【請求項３】
スピーカと、
前記スピーカに音声信号を出力するアンプと、
前記アンプに電圧を供給するための電圧線と、
オン状態の時に前記電圧線に第１電圧を供給するとともに、スタンバイ状態の時に前記電圧線に前記第１電圧よりも低い第２電圧を供給する第１の電源回路と、
表示パネルと、
前記表示パネルに電圧を供給する第２の電源回路と、を備えた表示装置において、
前記電圧線と前記第２の電源回路との間に、直列に接続された２つのダイオードをさらに備え、
前記第２の電源回路は、スタンバイ状態の時に前記電圧線に所定の電圧よりも高い第３電圧を供給するように構成されていることを特徴とする表示装置。
【発明の詳細な説明】
【技術分野】
【０００１】
本発明は、アンプを備えたスピーカ装置および表示装置に関する。
【背景技術】
【０００２】
液晶テレビジョン受像機のようなスピーカを備えたＡＶ（Audio Visual）機器においては、たとえばオン状態からスタンバイ状態へ切り替えたときに、ポップ音（pop sound）と呼ばれる雑音が発生し、視聴者にとって耳障りとなる。そこで、従来、上記のようなポップ音が発生するのを抑制する手段を備えたアンプやスピーカ装置が種々知られている（たとえば、特許文献１〜３参照）。
【０００３】
上記特許文献１には、ミュートピンが接続された音声増幅回路を備えた電子装置が開示されている。この電子装置は、オン状態からスタンバイ状態またはオフ状態に切り替えられた場合に、ミュートピンに印加される電圧を迅速に減少させることにより、ポップ音が発生するのを抑制するように構成されている。
【０００４】
また、上記特許文献２には、スピーカに接続される出力コンデンサを備えた増幅器が開示されている。この増幅器は、オン状態からオフ状態に切り替えられた場合に、出力コンデンサに蓄積された電荷を急速にアースに放出することにより、ポップ音が発生するのを抑制するように構成されている。
【０００５】
また、上記特許文献３には、増幅回路と、増幅回路に電圧を供給するバイアス回路と、増幅回路の出力波形を消滅させるスタンバイ回路とを備えた電力増幅装置が開示されている。この電力増幅装置では、オン状態からスタンバイ状態またはオフ状態に切り替えられた場合に、スタンバイ回路により増幅回路の出力波形を消滅させた後、増幅回路への電圧の供給を停止させる。これにより、電力増幅装置は、ポップ音が発生するのを抑制する。
【０００６】
また、従来では、スピーカと、アンプと、アンプに電圧を供給するための電圧線と、電圧線に電圧を供給する電源回路とを備えたスピーカ装置も知られている。このスピーカ装置の電源回路は、オン状態の時に電圧線に第１電圧を供給するとともに、スタンバイ状態の時に電圧線に第１電圧よりも低い第２電圧を供給するように構成されている。
【０００７】
【特許文献１】特開平１０−２４２７６７号公報
【特許文献２】特開平６−２１７２４号公報
【特許文献３】特開平３−１７１７６６号公報
【発明の開示】
【発明が解決しようとする課題】
【０００８】
しかしながら、上記したスピーカ装置では、オン状態からスタンバイ状態に切り替えられた場合に、電圧線の電圧が所定の電圧よりも低下してしまう場合がある。この場合には、電圧低下に起因してポップ音が発生してしまうという問題点がある。
【０００９】
なお、上記特許文献１〜３には、ポップ音が発生するのを抑制する構成について開示されているが、オン状態からスタンバイ状態に切り替えられた場合に、電圧線の電圧が所定の電圧よりも低下することに起因してポップ音が発生するという、本発明の課題（問題点）は存在しない。
【００１０】
本発明は、上述した課題を解決するものであって、その目的とするところは、オン状態からスタンバイ状態に切り替えられた場合に、電圧線の電圧が所定の電圧よりも低下することに起因してポップ音が発生するのを抑制することが可能なスピーカ装置および表示装置を提供することである。
【課題を解決するための手段】
【００１１】
本発明のスピーカ装置は、スピーカと、スピーカに音声信号を出力するアンプと、アンプに電圧を供給するための電圧線と、オン状態の時に電圧線に第１電圧を供給するとともに、スタンバイ状態の時に電圧線に第１電圧よりも低い第２電圧を供給する第１の電源回路と、を備えたスピーカ装置において、スタンバイ状態の時に電圧線に所定の電圧よりも高い第３電圧を供給するための第２の電源回路をさらに備える。
【００１２】
このように構成することによって、オン状態からスタンバイ状態に切り替えられた場合に、第２の電源回路により、電圧線の電圧が所定の電圧よりも低下しないようにすることができるので、ポップ音が発生するのを抑制することができる。
【００１３】
上記スピーカ装置において、好ましくは、電圧線と第２の電源回路との間に、直列に接続された２つのダイオードをさらに備える。
【００１４】
このように構成することによって、オン状態の時に電圧線から第２の電源回路に電流が逆流しないようにすることができる。また、２つのダイオードのうち一方のダイオードがショートした場合にも、電圧線から第２の電源回路に電流が逆流しないようにすることができる。
【００１５】
また、本発明の表示装置は、スピーカと、スピーカに音声信号を出力するアンプと、アンプに電圧を供給するための電圧線と、オン状態の時に電圧線に第１電圧を供給するとともに、スタンバイ状態の時に電圧線に第１電圧よりも低い第２電圧を供給する第１の電源回路と、表示パネルと、表示パネルに電圧を供給する第２の電源回路と、を備えた表示装置において、電圧線と第２の電源回路との間に、直列に接続された２つのダイオードをさらに備え、第２の電源回路は、スタンバイ状態の時に電圧線に所定の電圧よりも高い第３電圧を供給するように構成されている。
【００１６】
このように構成することによって、オン状態からスタンバイ状態に切り替えられた場合に、第２の電源回路により、電圧線の電圧が所定の電圧よりも低下しないようにすることができるので、ポップ音が発生するのを抑制することができる。また、ダイオードを設けることにより、オン状態の時に電圧線から第２の電源回路に電流が逆流しないようにすることができる。また、２つのダイオードを直列に接続することにより、２つのダイオードのうち一方のダイオードがショートした場合にも、電圧線から第２の電源回路に電流が逆流しないようにすることができる。また、表示パネルに電圧を供給する第２の電源回路が電圧線に第３電圧を供給することにより、電圧線に第３電圧を供給する電源を別途設ける必要が無いので、その分、部品点数が増加するのを抑制することができる。
【発明の効果】
【００１７】
本発明によれば、オン状態からスタンバイ状態に切り替えられた場合に、電圧線の電圧が所定の電圧よりも低下することに起因してポップ音が発生するのを抑制することが可能なスピーカ装置および表示装置を提供することができる。
【発明を実施するための最良の形態】
【００１８】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００１９】
図１は、本発明の一実施形態による液晶テレビの全体構成を説明するための図である。まず、図１を参照して、本実施形態による液晶テレビ１００の構成について説明する。
【００２０】
本発明の一実施形態による液晶テレビ１００は、図１に示すように、スピーカ１と、スピーカ１に音声信号を出力するアンプ２と、アンプ２に電圧を供給するための電圧線３と、電圧線３に電圧を供給する電源回路４と、液晶パネル５と、液晶パネル５に電圧を供給する定電圧回路６と、定電圧回路６に電圧を供給するインバータ回路７とを備えている。なお、図１においては、チューナ、信号処理回路、制御部などの図示は省略してある。また、電源回路４は、本発明の「第１の電源回路」の一例であり、定電圧回路６は、本発明の「第２の電源回路」の一例である。また、液晶パネル５は、本発明の「表示パネル」の一例である。なお、スピーカ１と、アンプ２と、電圧線３と、電源回路４と、定電圧回路６とにより、本発明のスピーカ装置が構成されている。
【００２１】
液晶テレビ１００は、映像表示などを行う通常の動作状態であるオン状態と、オン状態にする指令がリモコンなどから入力されるのを待ち受けるスタンバイ状態とを切替可能に構成されている。電源回路４は、オン状態の時に電圧線３に約１２Ｖの電圧（第１電圧）を供給するとともに、スタンバイ状態の時に電圧線３に約４Ｖの電圧（第２電圧）を供給するように構成されている。
【００２２】
インバータ回路７は、定電圧回路６へたとえば２２Ｖの電圧を供給し、定電圧回路６はこの電圧に基づいて定電圧を出力する。具体的には、定電圧回路６は、オン状態の時およびスタンバイ状態の時のいずれにおいても、ノードＮに約６Ｖの電圧を供給するように構成されている。ノードＮには、ダイオード８のアノードが接続されている。ダイオード８のカソードには、トランジスタ９のコレクタが接続されている。また、ダイオード８のカソードとトランジスタ９のコレクタとの間には、ツェナーダイオード１０のカソードと電解コンデンサ１１のプラス側とが接続されている。ツェナーダイオード１０のアノードおよび電解コンデンサ１１のマイナス側は接地されている。そして、トランジスタ９のエミッタが液晶パネル５に接続されており、液晶パネル５には、トランジスタ９を介して約３．３Ｖの電圧が供給される。
【００２３】
ここで、本実施形態では、電圧線３とノードＮとの間に、ダイオード１２および１３が直列に接続されている。具体的には、ダイオード１２は、アノードがノードＮに接続され、カソードがダイオード１３のアノードに接続されている。ダイオード１３のカソードは、電圧線３に接続されている。そして、ダイオード１２および１３では、それぞれ、約０．７Ｖずつの順方向電圧降下が発生することから、定電圧回路６は、スタンバイ状態の時に電圧線３に所定の電圧（本実施形態では、約３．６Ｖ）よりも高い約４．３６Ｖの電圧（第３電圧）を供給するように構成されている。上記の約３．６Ｖの電圧値はポップ音発生の閾値であり、後述のように、電圧線３の電圧がこの閾値よりも低下するとポップ音が発生する。
【００２４】
本実施形態では、上記のように、定電圧回路６により、スタンバイ状態の時に電圧線３に閾値である約３．６Ｖよりも高い約４．３６Ｖの電圧を供給することによって、オン状態からスタンバイ状態に切り替えられた場合に、電圧線３の電圧が閾値よりも低下しないようにすることができる。これにより、ポップ音が発生するのを抑制することができる。
【００２５】
また、本実施形態では、ダイオード１２および１３を設けることによって、オン状態の時に電圧線３からノードＮに電流が逆流しないようにすることができる。また、ダイオード１２および１３を直列に接続することによって、ダイオード１２および１３のいずれか一方がショートした場合にも、電圧線３からノードＮに電流が逆流しないようにすることができる。
【００２６】
また、本実施形態では、液晶パネル５に電圧を供給する定電圧回路６から出力された電圧が電圧線３にも供給されることによって、電圧線３に前記の約４．３６Ｖの電圧を供給する電源を別途設ける必要が無いので、その分、部品点数が増加するのを抑制することができる。
【００２７】
次に、上記した本実施形態の効果を確認するために行った比較実験について説明する。この実験では、比較例による液晶テレビがオン状態からスタンバイ状態に切り替えられた場合の電圧線の電圧とスピーカの出力とを測定した。また、本実施形態に対応する実施例による液晶テレビがオン状態からスタンバイ状態に切り替えられた場合の電圧線の電圧とスピーカの出力とを測定した。そして、その測定結果を図２および図３に示した。なお、比較例による液晶テレビとして、ダイオード１２および１３が設けられておらず、電圧線３とノードＮとが接続されていない従来の液晶テレビを用いた。
【００２８】
比較例による液晶テレビでは、図２に示すように、オン状態の時には、電圧線に約１２Ｖの電圧が印加されている。そして、オン状態からスタンバイ状態に切り替えられた場合には、電圧線の電圧が一時的に約２．９６Ｖまで低下し、その後、約４Ｖの電圧で保持される。ここで、電圧線の電圧が約２．９６Ｖから約４Ｖになるときに、スピーカの出力にノイズ（ポップ音）が発生する。なお、発明者の実験により、電圧線の電圧が約３．６Ｖよりも低下した場合に、ノイズが発生することが判明した。
【００２９】
一方、実施例による液晶テレビでは、図３に示すように、オン状態の時には、電圧線に約１２Ｖの電圧が印加されている。そして、オン状態からスタンバイ状態に切り替えられた場合には、電圧線の電圧が約４．３６Ｖまで低下し、その後、ほぼその電圧で保持される。このとき、スピーカの出力は安定し、ノイズが発生しない。
【００３０】
したがって、定電圧回路６により約４．３６Ｖの電圧を電圧線３に印加することによって、オン状態からスタンバイ状態に切り替えられた場合に、電圧線３の電圧が閾値である約３．６Ｖよりも低下するのを防止できることが判明した。その結果、ノイズ（ポップ音）が発生するのを防止することができた。
【００３１】
本発明は、上述した以外にも種々の実施形態を採用することができる。たとえば、上記実施形態において示した各電圧値は一例であり、上記した値以外のその他の値であってもよい。具体的には、定電圧回路６により、電圧線３に約４．３６Ｖの電圧が供給される例を示したが、これに限らず、定電圧回路６により、電圧線３に閾値よりも高い電圧が供給されていればよい。
【００３２】
また、上記実施形態では、第２の電源回路の一例として、液晶パネル５に電圧を供給する定電圧回路６を示したが、これに限らず、第２の電源回路としてその他の電源回路を用いてもよい。
【００３３】
また、上記実施形態において、インバータ回路７には電源回路４から電圧が供給されていてもよい。
【図面の簡単な説明】
【００３４】
【図１】本発明の一実施形態による液晶テレビの全体構成を説明するための図である。
【図２】比較例による液晶テレビの電圧線の電圧とスピーカの出力との関係を示したグラフである。
【図３】実施例による液晶テレビの電圧線の電圧とスピーカの出力との関係を示したグラフである。
【符号の説明】
【００３５】
１          スピーカ
２          アンプ
３          電圧線
４          電源回路（第１の電源回路）
５          液晶パネル（表示パネル）
６          定電圧回路（第２の電源回路）
１２、１３  ダイオード
１００      表示装置（液晶テレビ）
【図１】
2010093319.tif 000003
【図２】
2010093319.tif 000004
【図３】
2010093319.tif 000005